【手続補正書】
【提出日】平成18年9月5日(2006.9.5)
【手続補正１】
【補正対象書類名】明細書
【補正対象項目名】特許請求の範囲
【補正方法】変更
【補正の内容】
【特許請求の範囲】
【請求項１】  トルク伝達システムに用いるための、あるいは、かようなシステムのための構成要素を製作するための製造物品にして、
軸線を有し、周囲壁により画定された修正された多角形断面を有している本体と、
前記周囲壁内に位置決めされ、且つ、前記修正された多角形断面の面積よりも小さい面積を有している多角形中央部分と、
前記多角形中央部分から遠位端まで外方に、近位端からの平面上を延在している前記周囲壁の一部分を形成しているドライブ壁と、
前記周囲壁の別の部分を形成し、且つ、角度をなして前記ドライブ壁の遠位端を接合する近位端と、該周囲壁で終端している遠位端とを有している第１の外壁とを有している製造物品。
【請求項２】  請求項１に記載の製造物品において、前記多角形中央部分は対称をなす形態を備えている製造物品。
【請求項３】  請求項１に記載の製造物品において、前記多角形中央部分は正方形である製造物品。
【請求項４】  請求項１に記載の製造物品において、前記ドライブ壁は、概ね、前記本体の前記軸線の半径方向軸線上の平面上にある製造物品。
【請求項５】  請求項４に記載の製造物品において、前記周囲壁は、各々が半径方向の軸線方向平面上にある複数個のドライブ壁を有しており、
前記周囲壁は複数個の前記第１の外壁を有しており、各近位端は前記複数個のドライブ壁の遠位端をそれぞれ接合しており、
複数個の第２の外壁が、前記第１の外壁の前記遠位端の各々にそれぞれ接合された近位端を有しているとともに前記引き続くドライバ壁の各々の近位端にそれぞれ接合された遠位端を有している製造物品。
【請求項６】  請求項１に記載の製造物品において、前記周囲壁は４つのドライブ壁と４つの第１の外壁とを含んでいる製造物品。
【請求項７】  請求項１に記載の製造物品において、前記周囲壁は非対称の幾何学的形態を形成している製造物品。
【請求項８】  請求項１に記載の製造物品において、前記周囲壁の少なくとも一部分には、前記ドライバの前記周囲の、整合している同様のテーパの付された壁に緊密に合致して軸線方向内側にテーパが付されている製造物品。
【請求項９】  請求項８に記載の製造物品において、テーパの付された前記周囲壁の前記部分は前記ドライバ壁以外の壁であり、前記ドライブ壁は前記留め金具の前記軸線に実質的に平行な平面上にある製造物品。
【請求項１０】  請求項１に記載の製造物品において、前記周囲壁の全ての部分には、前記留め金具の前記軸線に直角な平面上にある前記ドライバ壁を除いて、テーパが付されている製造物品。
【請求項１１】  請求項８に記載の製造物品において、前記留め金具の前記周囲壁の前記実質的に非駆動用部分及び前記合致しているドライバは、前記留め金具及び前記合致するドライバの前記ドライバ壁よりも実質的に大きい面積を有している製造物品。
【請求項１２】  請求項１に記載の製造物品において、前記物品は、対応して付形されたドライブ工具と係合するためのねじ留め金具である製造物品。
【請求項１３】  請求項１に記載の製造物品において、前記物品は、対応して付形された留め金具に係合するためのドライブ工具である製造物品。
【請求項１４】  請求項１に記載の製造物品において、前記物品は、前記留め金具本体に凹所を形成し、且つ、定義されたごとき周囲壁形態を有している成形用工具である製造物品。
【請求項１５】  請求項１に記載の製造物品において、前記物品は、駆動用ヘッドを有する留め金具であり、該駆動用ヘッドは外側に形状を有しており、該外側形状内に前記周囲壁が収容されている製造物品。
【請求項１６】  請求項１に記載の製造物品において、前記物品は、内部に前記周囲壁が収容される外側形状を有しているボルトのためのねじの付されたナットである製造物品。
【請求項１７】  請求項１に記載の製造物品であって、一端でドライバに結合し、他端で外側に付形された駆動用ヘッドを有する留め金具に結合するための該製造物品において、前記物品は、一対の対向して、しかし、軸線方向に位置決めされた凹所を有する継手ソケット部材であり、該凹所のうちの１つは前記ドライバに結合し、他方の凹所は前記留め金具の前記駆動用ヘッドに結合している製造物品。
【請求項１８】  請求項１に記載の製造物品において、前記ドライブ壁の前記遠位端及び前記第１の外壁の前記遠位端は、軸線が前記本体の前記軸線に一致している共通の大円上に、概ね、置かれており、前記ドライブ壁は、前記多角形中央区分の隣接した壁を２等分する軸線に対して実質的に平行である製造物品。
【請求項１９】  請求項１８に記載の製造物品にして、該製造物品が、前記第１の外壁の前記遠位端の各々にそれぞれ接合された近位端と、前記引き続くドライブ壁の各々の近位端にそれぞれ接合された遠位端を有している複数個の第２の外壁を有しており、前記第１の外壁が前記第２の外壁よりも実質的に長い製造物品。
【請求項２０】  請求項１に記載の製造物品にして、
前記ドライブ壁の前記遠位端及び前記第１の外壁の前記遠位端は、軸線が前記本体の前記軸線に一致する共通の大円上に、概ね、位置していることと、
前記ドライブ壁は、前記本体の前記軸線の、概ね、半径方向軸線上の平面上にあることと、
前記第１の外壁の前記遠位端の各々にそれぞれ接合された近位端を有しているとともに前記引き続くドライブ壁の各々の近位端にそれぞれ接合された遠位端を有している複数個の第２の外壁と、
前記第１の外壁は前記第２の外壁よりも実質的に長いこととを有している製造物品。
【請求項２１】  請求項１に記載の製造物品にして、前記ドライブ壁の前記遠位端及び前記第１の外壁の前記遠位端は、軸線が前記本体の前記軸線に一致する大円上に、概ね、位置していることと、
前記ドライブ壁は、前記本体の前記軸線の、概ね、半径方向軸線上の平面上にあることとを有している製造物品。
【請求項２２】  請求項１に記載の製造物品において、前記ドライブ壁は、前記多角形中央部分の隣接した壁を２等分する軸線から時計方向にほぼ５゜の角度をなして傾けられている製造物品。
【請求項２３】  請求項１に記載の製造物品において、前記周囲壁は前記軸線のまわりに対称であって、実質的に等しい２方向トルク伝達力を提供している製造物品。
【請求項２４】  請求項１に記載の製造物品にして、前記ドライブ壁の前記遠位端及び前記第１の外壁の前記遠位端は、軸線が前記本体の前記軸線に一致した共通の大円上に、概ね、位置していることと、
前記ドライブ壁は、前記多角形中央区分の隣接した壁を２等分する軸線に実質上平行であることと、
前記第１の外壁の遠位端を接合する近位端を有しているとともに遠位端を有している第２の外壁と、
前記第２の外壁は前記ドライブ壁に実質的に平行であることと、
を有している製造物品。
【請求項２５】  請求項２４に記載の製造物品にして、
前記第２の外壁の前記遠位端を接合する近位端と、前記共通した大円上に、概ね、位置する遠位端とを有する第３の外壁と、
前記第３の外壁の前記遠位端を接合する近位端と、遠位端とを有している第４の外壁と、
前記第４の外壁の前記遠位端を接合する近位端と、前記大円上に位置している遠位端とを有している第４のドライブ壁と、
前記第４のドライブ壁は、前記多角形中央部分の隣接する壁を２等分する軸線に対して実質上平行であることと、
を有している製造物品。
【請求項２６】  トルク伝達システムに用いるための、あるいは、そのようなシステムのための構成要素を製作するために用いるための装置、
軸線を有している本体であって、周囲壁により画定された多角形である修正された断面を有している本体と、
前記周囲壁内に位置決めされ、且つ、前記修正された多角形断面の面積よりも小さい面積を有している多角形中央部分と、
前記多角形中央部分から遠位端まで外方に、近位端からの平面上を延在している前記周囲壁の一部分を形成しているドライブ壁と、
前記周囲壁の別の部分を形成し、且つ、鋭角で前記ドライブ壁の遠位端を接合する近位端と、前記周囲壁で終端している遠位端とを有している第１の外壁と、を有しており、
前記ドライブ壁は複数個のドライブ壁のうちの１つであり、
前記第１の外壁は複数個の第１の外壁のうちの１つであり、
前記周囲壁は角度をなして前記第１の外壁の前記遠位端の各々にそれぞれ接合された近位端を有しているとともに前記引き続くドライバ壁の各々の近位端にそれぞれ接合された遠位端を有している複数個の第２の外壁をさらに有している、装置。
【請求項２７】  ドライバを有しているトルク伝達システムに用いるための、あるいは、そのようなシステムのための構成要素を製作するために用いるための装置にして、
軸線を有している本体であって、周囲壁によって画定された外側多角形断面を有している本体と、
前記周囲壁内に位置決めされ、且つ、前記外側多角形断面の面積よりも小さい面積を有している内側多角形中央部分と、
前記多角形中央部分から遠位端まで外方に、近位端からの平面上を延在している前記周囲壁の一部分を形成しているドライブ壁と、
前記周囲壁の別の部分を形成し、且つ、９０°よりも小さい角度で前記ドライブ壁の遠位端を接合する近位端と、前記周囲壁で終端している遠位端とを有している第１の外壁とを有し、
前記ドライブ壁の前記遠位端及び前記第１の外壁の前記遠位端は軸線が前記本体の前記軸線に一致する共通の大円上に概ね位置している、装置。
【請求項２８】  ドライバを有しているトルク伝達システムに用いるための、あるいは、そのようなシステムのための構成要素を製作するために用いるための装置にして、
軸線を有している本体であって、周囲壁によって画定された外側多角形断面を有している本体と、
前記周囲壁内に位置決めされ、且つ、前記外側多角形断面の面積よりも小さい面積を有している内側多角形中央部分と、
前記多角形中央部分から遠位端まで外方に、近位端からの平面上を延在している前記周囲壁の一部分を形成しているドライブ壁と、
前記周囲壁の別の部分を形成し、且つ、鋭角で前記ドライブ壁の遠位端を接合する近位端と、前記周囲壁で終端している遠位端とを有している第１の外壁とを有しており、
前記ドライブ壁の前記遠位端及び前記第１の外壁の前記遠位端は軸線が前記本体の前記軸線に一致する共通の大円上に概ね位置していて、
前記ドライブ壁は前記本体の前記軸線と交差している平面に沿って位置している、装置。
【請求項２９】  ドライバを有しているトルク伝達システムに用いるための、あるいは、そのようなシステムのための構成要素を製作するために用いるための装置にして、
軸線を有している本体であって、周囲壁によって画定された外側多角形断面を有している本体と、
前記周囲壁内に位置決めされ、且つ、前記外側多角形断面の面積よりも小さい面積を有している内側多角形中央部分と、
前記多角形中央部分から遠位端まで外方に、近位端からの平面上を延在している前記周囲壁の一部分を形成しているドライブ壁と、
前記周囲壁の別の部分を形成し、且つ、鋭角で前記ドライブ壁の遠位端を接合する近位端と、前記周囲壁で終端している遠位端とを有している第１の外壁とを有しており、
前記ドライブ壁の前記遠位端及び前記第１の外壁の前記遠位端は軸線が前記本体の前記軸線に一致する共通の大円上に概ね位置しており、
前記第１の外壁は前記ドライブ壁よりも実質的に長い、装置。
【請求項３０】  トルク伝達システムに用いるための、あるいは、そのようなシステムのための構成要素を製作するために用いるための装置にして、
軸線を有している本体であって、周囲壁により画定された多角形である修正された断面を有している本体と、
前記周囲壁内に位置決めされ、且つ、前記修正された多角形断面の面積よりも小さい面積を有している多角形中央部分と、
前記多角形中央部分から遠位端まで外方に、近位端からの平面上を延在している前記周囲壁の一部分を形成しているドライブ壁と、
前記周囲壁の別の部分を形成し、且つ、角度をなして前記ドライブ壁の遠位端を接合する近位端と、前記周囲壁で終端している遠位端とを有している第１の外壁とを有しており、
前記ドライブ壁は複数個のドライブ壁のうちの１つであり、
前記第１の外壁は複数個の第１の外壁のうちの１つであり、
前記周囲壁は角度をなして前記第１の外壁の前記遠位端の各々にそれぞれ接合された近位端を有しているとともに前記引き続くドライブ壁の各々の近位端にそれぞれ接合された遠位端を有している複数個の第２の外壁をさらに有しており、
前記第１の外壁は前記ドライブ壁よりも長い、装置。
【請求項３１】  トルク伝達システムに用いるための、あるいは、そのようなシステムのための構成要素を製作するために用いるための装置にして、
軸線を有している本体であって、周囲壁により画定された多角形である修正された断面を有している本体と、
前記周囲壁内に位置決めされ、且つ、前記修正された多角形断面の面積よりも小さい面積を有している多角形中央部分と、
前記多角形中央部分から遠位端まで外方に、近位端からの平面上を延在している前記周囲壁の一部分を形成しているドライブ壁と、
前記周囲壁の別の部分を形成し、且つ、角度をなして前記ドライブ壁の遠位端を接合する近位端と、前記周囲壁で終端している遠位端とを有している第１の外壁とを有しており、
前記ドライブ壁は複数個のドライブ壁のうちの１つであり、
前記第１の外壁は複数個の第１の外壁のうちの１つであり、
前記周囲壁は角度をなして前記第１の外壁の前記遠位端の各々にそれぞれ接合された近位端を有しているとともに前記引き続くドライブ壁の各々の近位端にそれぞれ接合された遠位端を有している複数個の第２の外壁をさらに有していて、
前記多角形中央部分は正方形である、装置。
【請求項３２】  トルク伝達システムに用いるための、あるいは、そのようなシステムのための構成要素を製作するために用いるための装置にして、
軸線を有している本体であって、周囲壁により画定された多角形である修正された断面を有している本体と、
前記周囲壁内に位置決めされ、且つ、前記修正された多角形断面の面積よりも小さい面積を有しているとともに対向する面を有している多角形中央部分と、
前記多角形中央部分から遠位端まで外方に、近位端からの平面上を延在している前記周囲壁の一部分を形成しているドライブ壁と、
前記周囲壁の別の部分を形成し、且つ、角度をなして前記ドライブ壁の遠位端を接合する近位端と、前記周囲壁で終端している遠位端とを有している第１の外壁とを有しており、
前記ドライブ壁は複数個のドライブ壁のうちの１つであり、
前記第１の外壁は、複数個の第１の外壁のうちの１つであり、
前記周囲壁は角度をなして前記第１の外壁の前記遠位端の各々にそれぞれ接合された近位端を有しているとともに前記引き続くドライバ壁の各々の近位端にそれぞれ接合された遠位端を有している複数個の第２の外壁をさらに有していて、
前記ドライブ壁に隣接する第１の軸方向平面は前記多角形中央部分の対向する面を２等分し、
前記ドライブ壁は前記第２の外壁よりも前記第１の軸方向平面に近接して位置決めされている、装置。
【請求項３３】  トルク伝達システムに用いるための、あるいは、そのようなシステムのための構成要素を製作するために用いるための装置にして、
軸線を有している本体であって、周囲壁により画定された多角形である修正された断面を有している本体と、
前記周囲壁内に位置決めされ、且つ、前記修正された多角形断面の面積よりも小さい面積を有している多角形中央部分と、
前記多角形中央部分から遠位端まで外方に、近位端からの平面上を延在している前記周囲壁の一部分を形成しているドライブ壁と、
前記周囲壁の別の部分を形成し、且つ、角度をなして前記ドライブ壁の遠位端を接合する近位端と、前記周囲壁で終端している遠位端とを有している第１の外壁とを有しており、
前記周囲壁の少なくとも一部分は軸線方向内側にテーパが付されていて、
前記修正された断面は非対称の形態で形成されている、装置。